(57)【要約】複数の使用者データが時間的に同期したパケットデータチャンネルとパケットデータ制御チャンネルとを通して送受信されるパケットデータ通信システムにおけるパケットデータ受信器の干渉信号除去装置及び方法を提供する。干渉信号除去装置は、パケットデータ制御チャンネルが復号されるときまで、パケットデータチャンネルの信号を臨時的に貯蔵するバッファと、パケットデータ制御チャンネルを復調して得られたパケットデータ制御チャンネル情報を検査して、受信しようとする有効なパケットデータが現在のタイムスロットに存在すると判断される場合にのみ、干渉信号除去命令信号を出力する干渉信号除去動作制御部と、バッファから出力されたパケットデータチャンネル信号を受信し、干渉信号除去命令信号を受信する場合にのみ、パケットデータチャンネル信号から干渉信号を除去する干渉信号除去部と、から構成される。
2006500885.tif 000002
【特許請求の範囲】
【請求項１】
パケットデータチャンネル及びパケットデータ制御チャンネルを送受信するパケットデータ通信システムにおけるパケットデータ受信装置であって、
前記パケットデータチャンネル及び前記パケットデータ制御チャンネルを通して受信された多重経路信号を処理し、前記処理されたパケットデータチャンネル信号及び前記処理されたパケットデータ制御チャンネル信号をそれぞれ出力するフィンガー部と、
前記フィンガー部から出力された前記パケットデータチャンネル信号をチップ単位で結合する結合部と、
前記結合されたパケットデータチャンネル信号から干渉信号を除去する干渉信号除去部と、
前記干渉信号除去部の出力信号を復号する復号部と、
から構成されることを特徴とする装置。
【請求項２】
前記結合部から出力されたパケットデータチャンネル信号を一時貯蔵するバッファをさらに含むことを特徴とする請求項１記載の装置。
【請求項３】
前記干渉除去部は、前記フィンガー部と前記復号部との間に位置することを特徴とする請求項１記載の装置。
【請求項４】
前記パケットデータ制御チャンネルの復号された情報を分析した結果、受信しようとする有効なパケットデータが現在のタイムスロットに存在すると判断される場合にのみ、干渉信号除去命令信号を出力する干渉信号除去動作制御部をさらに含むことを特徴とする請求項１記載の装置。
【請求項５】
有効なパケットデータが現在のタイムスロットに存在すると判断される場合、前記パケットデータ制御チャンネルを復号して得られた前記パケットデータ制御チャンネル情報の中に含まれる使用された変調方式に従って干渉信号除去命令信号を出力する前記干渉信号除去動作制御部をさらに含むことを特徴とする請求項１記載の装置。
【請求項６】
有効なパケットデータが現在のタイムスロットに存在すると判断される場合、所望の基地局からの信号対他の基地局からの信号の電力比を受信し、前記信号の電力比が使用された変調方式に従って異なって設定された所定値以上である場合にのみ、干渉信号除去命令信号を出力する前記干渉信号除去動作制御部をさらに含むことを特徴とする請求項１記載の装置。
【請求項７】
有効なパケットデータが現在のタイムスロットに存在し、送信器で使用されたチャンネル符号化器の符号化率が所定値以上である場合にのみ、干渉信号除去命令信号を出力する前記干渉信号除去動作制御部をさらに含むことを特徴とする請求項１記載の装置。
【請求項８】
前記復号部は、
前記干渉除去部の出力をウォルシュデカバーリングするウォルシュデカバーと、
前記ウォルシュデカバーの出力からメトリックを生成するメトリック生成器と、
前記メトリック生成器の出力をデインターリービングするデインターリーバと、
前記デインターリーバの出力をターボ復号するターボ復号器と、
を含むことを特徴とする請求項１記載の装置。
【請求項９】
データが時間的に同期したパケットデータチャンネル及びパケットデータ制御チャンネルを通して送受信されるパケットデータ通信システムにおけるパケットデータ受信器で干渉信号を除去するための方法であって、
前記パケットデータチャンネル及び前記パケットデータ制御チャンネルを通して受信された多重経路信号を処理し、前記処理されたパケットデータチャンネル信号及び前記処理されたパケットデータ制御チャンネル信号をそれぞれ出力するステップと、
前記フィンガー部から出力された前記パケットデータチャンネル信号をチップ単位で結合するステップと、
前記結合されたパケットデータチャンネル信号を読み出して、読み出されたパケットデータチャンネル信号から干渉信号を除去するステップと、
前記干渉が除去されたパケットデータチャンネル信号を復号するステップと、
を含むことを特徴とする方法。
【請求項１０】
前記結合されたパケットデータチャンネル信号を一時貯蔵するステップをさらに含むことを特徴とする請求項９記載の方法。
【請求項１１】
前記パケットデータ制御チャンネルを復号して得られた情報を分析し、受信しようとする有効なパケットデータが現在のタイムスロットに存在すると判断される場合にのみ、干渉信号除去命令信号を出力するステップをさらに含むことを特徴とする請求項９記載の方法。 
【請求項１２】
前記干渉信号除去命令信号を出力するステップは、
有効なパケットデータが現在のタイムスロットに存在すると判断される場合、前記パケットデータ制御チャンネルを復号して得られた前記パケットデータ制御チャンネル情報の中に含まれる使用された変調方式に従って干渉信号除去命令信号を出力することを特徴とする請求項１１記載の方法。
【請求項１３】
前記干渉信号除去命令信号を出力するステップは、
有効なパケットデータが現在のタイムスロットに存在すると判断される場合、所望の基地局からの信号対他の基地局からの信号の電力比を受信し、
前記信号の電力比が使用された変調方式に従って異なって設定された所定値以上である場合にのみ、干渉信号除去命令信号を出力することを特徴とする請求項１１記載の方法。
【請求項１４】
前記干渉信号除去命令信号を出力するステップは、
有効なパケットデータが現在のタイムスロットに存在し、送信器で使用されたチャンネル符号化器の符号化率が所定値以上である場合にのみ、干渉信号除去命令信号を出力することを特徴とする請求項１１記載の方法。
【請求項１５】
前記干渉が除去されたパケットデータチャンネル信号を復号するステップは、
前記干渉が除去されたパケットデータチャンネル信号をウォルシュデカバーリングするステップと、
前記ウォルシュデカバーリングされた信号の出力からメトリックを生成するステップと、
前記メトリックをデインターリービングするステップと、
前記デインターリービングされたメトリックを用いて、前記干渉が除去されたパケットデータチャンネル信号をターボ復号するステップを含むことを特徴とする請求項９記載の方法。
【発明の詳細な説明】
【技術分野】
【０００１】
本発明は、パケットデータ通信システムに関し、特に、高速パケットデータ通信システムの１つであるＣＤＭＡ（Code Division Multiple Access）１ｘＥＶＤＶ（First Evolution Data and Voice）通信システムの受信器において、干渉信号を低電力で除去するための装置及び方法に関する。
【背景技術】
【０００２】
一般的に、ＣＤＭＡ１ｘＥＶ_ＤＯ通信システムにおいて、送信器は、音声信号を主とするチャンネルの変調方式として、ＱＰＳＫ（Quadrature phase shift keying）方式を使用し、電力制御方式を通じてチャンネルエラーを克服するのに十分な電力で信号を伝送する。受信器は、レイク受信器を通して多重経路信号を結合して信号対雑音比（signal-to-noise ratio；ＳＮＲ）を増加させる。
【０００３】
しかしながら、ＣＤＭＡ １ｘ ＥＶＤＶ通信システムの高速パケットデータ伝送方式は、変調方式及びチャンネルコードのコードレート（情報信号対パリティ信号の比率）をチャンネル状態に従って適応的に選択し、電力制御を行わない方式に進化してきた。すなわち、ＣＤＭＡ １ｘ ＥＶＤＶ通信システムにおいて、端末機が基地局に近く位置し、チャンネル状態が良い場合には、コードレートが高い高次変調方式（例えば、１６ＱＡＭ）を使用して信号を送信する。しかしながら、端末機が基地局から遠く位置し、チャンネル状態がよくない場合には、コードレートが低い低次変調方式（例えば、ＱＰＳＫ）で信号を送信する。低次変調方式を使用する場合には、周波数帯域当たり伝送可能な情報量が制限される、という短所がある一方、送信信号の電力を大きくする必要がない、という長所がある。対照的に、高次変調方式を使用する場合には、周波数帯域当たり伝送可能な情報量が増加する、という長所がある一方、送信信号の電力を大きくしなければならない、という短所がある。また、高次変調方式を使用する場合には、信号の良好な受信のために、信号対雑音比を既存のＱＰＳＫ変調方式を使用する場合に比べてさらに良好にしなければならない。受信器の性能向上のために、既存システムでは、大きい問題にならなかったチップ信号間の干渉信号を除去する必要がある。
【０００４】
図１は、ＣＤＭＡ １ｘ ＥＶＤＶ通信システムで使用するチャンネルの例を示すグラフである。ＣＤＭＡ １ｘ ＥＶＤＶ通信システムは、高速データ伝送のために、適応変調及びチャンネル符号化方式（Adaptive Modulation and Coding）と複合自動再伝送方式（Hybrid Automatic Retransmission Request；ＨＡＲＱ）とを使用する。この場合、変調方式、符号化方式、及び再伝送回数等を含んでいる多くの種類の組合せが可能であるので、このような情報を受信器へ伝送するために、パケットデータチャンネル（Packet Data Channel；ＰＤＣＣＨ）以外に、パケットデータ制御チャンネル（Packet Data Control Channel；ＰＤＣＣＨ）が割り当てられる。図１を参照すると、この２本のチャンネルは、相互に時間的に同期して一定の時間単位（１．２５、２．５、又は５ｍｓ）で伝送される。従って、パケットデータの受信のためには、まず、パケットデータ制御チャンネルを復調し、チャンネル復号化して情報を得なければならず、このような時間の間、パケットデータ信号は、バッファに貯蔵されていなければならない。
【０００５】
図２は、ＣＤＭＡ １ｘ ＥＶＤＶ通信システムにおける順方向パケットデータチャンネル（Forward Packet Data Channel；Ｆ−ＰＤＣＨ）送信器の構造を示すブロック図である。
【０００６】
図２を参照して、このＦ−ＰＤＣＨ送信器の動作を簡略的に説明すると、まずＰＤＣＨを通して受信されたデータは、一定の大きさのパケットから構成され、ＣＲＣ（cyclic redundancy check）ビットは、ＣＲＣ追加部２０１で入力データパケットに追加される。ＣＲＣ追加部２０１の出力は、テールビット追加部２０２及びターボエンコーダ２０３でチャンネルコーディング（ここでは、ターボコーディング）される。チャンネルコーディングの目的は、リダンダンシーを情報に追加し、これによって、情報がエラーに強くなるようにするためであり、このようなリダンダンシーの追加により、情報パケットの大きさがもとの情報パケットの大きさより大きくなる。このようにチャンネルコーディングされたパケットをエンコードされたパケット（Encoded Packet）と呼ぶ。このエンコードされたパケットは、チャンネルインターリーバ２０４でチャンネルインターリービングされる。このチャンネルインターリービングの目的は、連続的なエラーによる影響を時間的に減少させるためである。チャンネルインターリーバ２０４の出力は、加算器２０５及びスクランブリングパターン生成器２０６によってスクランブリングされる。このスクランブリングは、入力信号が特定のパターンを有することを防止する。このスクランブリングされた信号は、サブパケット選択器２０７、ＱＰＳＫ／８―ＰＳＫ／１６―ＱＡＭシンボルマッパー２０８、シンボルデマルチプレクサー（ＤＥＭＵＸ）２０９、第１〜第Ｎのウォルシュカバーリング部２１０、及びウォルシュチップ信号加算器２１１を通して変調された後に伝送される。
【０００７】
図３は、ＣＤＭＡ １ｘ ＥＶＤＶ通信システムにおける一般的なパケットデータ受信器の構造を示すブロック図である。
【０００８】
図３を参照して、このパケットデータ受信器の動作を簡略的に説明する。フィンガー部３００は、受信信号にＰＮ（pseudo-random noise）コードが乗じられた後に、該当チャンネルに合うウォルシュ（Walsh）コードが乗じられて各フィンガー別に変調シンボル情報が復旧される。結合部３０１，３０４は、多重経路信号を結合するために各フィンガーの出力を結合する。デインターリーバ３０２及びビタビデコーダ３０３は、結合部３０１の出力からパケットデータを受信するための制御情報を計算し、この時間の間、結合部３０４及び並列／直列変換器３０５を通して生成されたパケットデータ信号は、バッファ３０６に貯蔵される。バッファ３０６に貯蔵されたパケットデータ情報は、このパケットデータ受信制御情報に従ってメトリック生成器３０７、デインターリーバ３０８、及びターボデコーダ３０９を通して復号される。
【０００９】
図４は、変調方式によるシンボルエラー率（symbol error rate；ＳＥＲ）と信号対雑音比（ＳＮＲ）との関係を示すグラフである。図４のグラフにおいて、横軸は、チャンネルコーダがない状態でのビット当たりのＳＮＲを示す。ビットよりもむしろ変調シンボル当たりのＳＮＲは、これよりさらに大きくなる。
【００１０】
図４を参照すると、固定されたシンボルエラー率に対して必要なＳＮＲは、変調方式が高次になるほど（すなわち、Ｍが大きくなるほど）さらに大きくなり、このために、相対的に干渉信号の影響がさらに大きくなる。すなわち、低次変調方式を使用する場合には、干渉信号の影響が前の雑音信号に隠されて大きい影響を及ぼさないが、高次変調方式を使用する場合には、相対的に雑音信号の影響が減少するにつれて、相対的に干渉信号の影響が増加する。
【００１１】
図５は、多重経路信号の干渉によってＳＮＲが劣化する例を示すグラフである。
【００１２】
具体的に、図５は、二重経路チャンネルモデルで、１つの経路には、振幅が１である干渉信号を印加し、残りの経路には、干渉信号の振幅を０．１〜１に調節するに従ってＳＮＲがどのように変化するかを示すグラフである。図５において、Ｉｏｒ／Ｉｏｃは、所望の基地局から受信された信号と他のすべての基地局から受信された信号比を示し、ＳＮＲは、多重経路による干渉信号まで考慮した受信信号対雑音比を意味する。図５に示すように、他の基地局からの干渉信号が大きい（すなわち、Ｉｏｒ／Ｉｏｃが小さい）場合には、多重経路干渉信号の振幅が増加しても、ＳＮＲの変動は大きくない。しかしながら、他の基地局からの干渉信号が小さい場合には、多重経路干渉信号の振幅が増加するに従って、ＳＮＲが非常に低い値で収束する。
【００１３】
このような干渉信号を除去するための方式には、チャンネル等化器を用いる方式と直列干渉信号除去器（Serial Interference Canceller；ＳＩＣ）及び並列干渉信号除去器（Parallel Interference Canceller；ＰＩＣ）を用いる方式とに大別される。
【００１４】
図６は、パケットデータ通信システムにおける受信器で使用される一般的な線形チャンネル等化器の構造を示すブロック図である。
【００１５】
図６を参照して、線形チャンネル等化器の動作を簡略的に説明すると、等化器フィルター６０１は、受信信号をフィルターリングする。乗算器６０２は、等化器フィルター６０１の出力にＰＮコードを乗じる。そうすると、加算器６０３と遅延器６０４とから構成される累積部は、パイロット信号のウォルシュコードが０、すなわち、ＤＣ信号であるという仮定の下に、乗算器６０２の出力を一定の周期に累積してパイロット信号の推定値を生成する。他のコードが割り当てられた場合、該当コードが乗じられた後に累積される。この推定値と実際値との差異に従って、等化器フィルター６０１のフィルター係数が更新される。同じように、等化器フィルター６０１の出力は、乗算器６０５に印加されてＰＮコードが乗じられ、乗算器６０５の出力は、乗算器６０６に印加され、そのチャンネルに該当するウォルシュコードが乗じられる。また、乗算器６０６の出力は、加算器６０７と遅延器６０８とから構成される累積部に印加され、一定の区間の周期で累積される。このような工程を通して、実際のパケットデータの推定値が計算される。
【００１６】
図７は、パケットデータ通信システムの受信器で使用される一般的な並列干渉信号除去器の構造を示すブロック図である。
【００１７】
図７を参照して、並列干渉信号除去器の動作を簡略的に説明すると、受信信号がレイクフィルター７０１に印加されてフィルターリングされ、レイクフィルター７０１の出力は、判定器７０２に印加されて該当データに対する暫定的な判定がなされる。ＰＩＣ７０３は、この暫定的な判定値に従って、推定された干渉信号を生成し、もとの信号からこの推定された干渉信号を減算し、これによって、干渉信号がある程度除去される。この暫定的な判定値にエラーがなく、チャンネルの特性を正確に認知して干渉信号を補償した場合、干渉信号は、一挙に完全に除去されることができる。しかしながら、実際では、上記２つの条件を同時に満足させることができないので、干渉信号は、一挙に完全に除去されない。判定器７０４、ＰＩＣ７０９、及び判定器７１０によるこのような工程の反復を通して完全に除去される。
【００１８】
上述した干渉信号除去器は、大体、Ａ／Ｄ変換器の出力をそのまま受信し、この干渉信号除去器を高速パケットデータチャンネルの特性と連結させることによって、効率的な構造を提供するために設計されたシステムが存在しない場合を仮定する。このように、高速パケットデータチャンネルの特性を考慮せずに、受信器の前部に干渉信号除去器を配置する構造は、幾つかの問題点がある。そのうち、移動通信端末機において一番大きい問題は、干渉信号除去器が常に動作しなければならないことであり、従って、端末機の電力消耗が増加する。実際に、チャンネル等化器は、多い数の乗算器を構成し、また、並列干渉信号除去器も、相当に多い数の乗算演算を必要とする。高速パケットデータチャンネルの場合は、１本のチャンネルを数人の使用者が共有する構造であるので、実際に、１つの端末機に割り当てられたタイムスロットの数は、多くないこともある。しかしながら、このタイムスロットを受信する前には、端末機は、与えられたタイムスロットに所望のパケット情報が乗せられているか否かを判断することができず、干渉信号除去器が受信器の前部に配置されているので、干渉信号除去器を常に作動させなければならない。これは、端末機のバッテリー寿命を短縮させる。極端的な場合を例に挙げると、従来の干渉信号除去方式を使用すると、与えられた端末機に伝送されるパケットがまったくないとしても、干渉信号除去器は、不必要な演算を継続して遂行し、これによって、端末機のバッテリー電源を浪費する、という問題がある。
【発明の開示】
【発明が解決しようとする課題】
【００１９】
上記背景に鑑みて、本発明の目的は、パケットデータ通信システムにおいて、受信器の受信性能を向上させることができる干渉信号除去装置及び方法を提供することにある。
【００２０】
本発明の他の目的は、パケットデータ通信システムにおいて、端末機の電源消耗を最小にすることができる干渉信号除去装置及び方法を提供することにある。
【課題を解決するための手段】
【００２１】
このような目的を達成するために、本発明の第１の特徴によると、複数の使用者データが時間的に同期したパケットデータチャンネルとパケットデータ制御チャンネルを通して送受信されるパケットデータ通信システムにおけるパケットデータ受信器の干渉信号除去装置を提供する。この干渉信号除去装置は、このパケットデータ制御チャンネルが復号されるときまで、このパケットデータチャンネルの信号を臨時に貯蔵するバッファと、このパケットデータ制御チャンネルを復号して得られたパケットデータ制御チャンネル情報を分析し、受信しようとする有効なパケットデータが現在のタイムスロットに存在すると判断される場合にのみ、干渉信号除去命令信号を出力する干渉信号除去動作制御部と、このバッファから出力されたこのパケットデータチャンネル信号を受信し、この干渉信号除去命令信号を受信する場合にのみ、このパケットデータチャンネル信号から干渉信号を除去する干渉信号除去部と、から構成されることを特徴とする。
【００２２】
また、本発明の第２の特徴によると、複数の使用者データが時間的に同期したパケットデータチャンネルとパケットデータ制御チャンネルを通して送受信されるパケットデータ通信システムにおけるパケットデータ受信器の干渉信号除去方法を提供する。この干渉信号除去方法は、このパケットデータ制御チャンネルが復号されるときまで、このパケットデータチャンネルの信号を臨時に貯蔵するステップと、このパケットデータ制御チャンネルを復号して得られたパケットデータ制御チャンネル情報に基づいて、受信しようとする有効なパケットデータが現在のタイムスロットに存在するか否かを検査するステップと、この検査の結果、受信しようとする有効なパケットデータが現在のタイムスロットに存在すると判断される場合にのみ、干渉信号除去命令信号を出力するステップと、この干渉信号除去命令信号に応じて、この貯蔵されたパケットデータチャンネル信号から干渉信号を除去するステップと、から構成されることを特徴とする。
【００２３】
さらに、本発明の第３の特徴によると、複数の使用者データが時間的に同期したパケットデータチャンネルとパケットデータ制御チャンネルを通して送受信されるパケットデータ通信システムにおけるパケットデータを受信する装置を提供する。この装置は、このパケットデータチャンネル及びこのパケットデータ制御チャンネルを通して受信された多重経路信号を処理し、この処理されたパケットデータチャンネル信号及びこの処理されたパケットデータ制御チャンネル信号をそれぞれ出力するフィンガー部と、このフィンガー部から出力されたこのパケットデータチャンネル信号をチップ単位で結合する結合部と、このパケットデータ制御チャンネルが完全に復号されるときまで、この結合部から出力された信号を臨時に貯蔵するバッファと、を含むことを特徴とする。この装置は、この復号されたパケットデータ制御チャンネルの情報を分析し、受信しようとする有効なパケットデータが現在のタイムスロットに存在すると判断される場合にのみ、干渉信号除去命令信号を出力する干渉信号除去動作制御部と、このバッファの出力信号を受信し、干渉信号除去命令信号が干渉信号除去動作制御部から受信されると、このバッファの出力信号から干渉信号を除去する干渉信号除去部と、この干渉信号除去部の出力信号をシンボル信号に変換するウォルシュデカバーと、をさらに含むことを特徴とする。
【発明の効果】
【００２４】
本発明は、高速パケットデータ通信システムの受信器において、干渉信号除去部をパケットデータチャンネル（ＰＤＣＨ）復号バッファの後段に配置させ、パケットデータ制御チャンネル（ＰＤＣＣＨ）をまず復号した後、ＰＤＣＣＨの復号結果及びチャンネル状況に従って、選択的に干渉信号除去部を動作させる方法を提供する。これによって、新たな干渉信号除去方式は、従来の干渉信号除去方式に比べて端末機の電力消耗を減らすことができる。
【発明を実施するための最良の形態】
【００２５】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００２６】
本発明は、高速パケットデータ通信システム（又はＣＤＭＡ １ｘ ＥＶＤＶ通信システム）の受信器において、チャンネル等化器、及び直列又は並列干渉信号除去器のような干渉除去器をＰＤＣＨ信号を貯蔵するためのバッファの後段に配置させ、ＰＤＣＣＨをまず復号した後、ＰＤＣＣＨの復号結果及びチャンネル状況に応じて、選択的に干渉除去器を動作させる方法を提供する。これによって、新たな干渉信号除去方式は、従来の干渉信号除去方式に比べて端末機の電力消耗を減らす。
【００２７】
図８は、本発明の実施形態による高速パケットデータ受信器の構造を示すブロック図である。
【００２８】
図８を参照して、この高速パケットデータ受信器の動作を説明すると、まずフィンガー部８０１は、受信信号を入力し、ＰＮコードを乗じない状態で、多重経路信号の結合のために、この受信信号に対して位相補正を遂行し、結合部８０５は、フィンガー部８０１から受信された多重経路信号を結合する。ここで、多重経路信号は、シンボル信号の単位で結合される従来方式とは異なり、チップ信号の単位で結合され、結合された結果は、バッファ８０６に貯蔵される。バッファ８０６は、パケットデータチャンネルを処理するために必要な制御情報を受信する間に、パケットデータを貯蔵する必要がある。
【００２９】
フィンガー部８０１から受信されたパケットデータ制御チャンネル信号は、結合部８０２、デインターリーバ８０３、及びビタビデコーダ８０４を通して復号される。干渉信号除去動作制御部８１３は、ビタビデコーダ８０４から出力されたパケットデータ制御チャンネル情報及びハードウェア又はソフトウェアからの付加制御情報に基づいて、干渉信号除去動作が必要であるか否かを判断し、必要な場合にのみ、干渉信号除去命令信号を干渉信号除去部８０７に出力する。ここで、干渉信号除去部８０７を動作させるか否かは、このパケットデータ制御チャンネル情報のみによって決定されることもできるし、このパケットデータ制御チャンネル情報及び付加制御情報を同時に考慮して決定されることもできる。
【００３０】
このパケットデータ制御チャンネル情報は、復号が正常に遂行されたか否かを示す復号エラー情報と、このパケットデータ制御チャンネル情報を復号して得られた復号値から抽出されたこのパケットデータチャンネルの変調方式に関する情報と、チャンネル符号化器で使用された符号化率に関する情報と、を含む。この変調方式に関する情報は、変調方式がＱＰＳＫ、８ＰＳＫ、又は１６ＱＡＭ方式であるか否かを示す情報である。この情報タイプのうちの１つのみでも、干渉信号除去部を動作させるか否かを決定することができることは明らかである。また、付加制御情報は、多重経路信号に関する情報及びチャンネル状態に関する情報（信号対雑音比Ｉｏｒ／Ｉｏｃ）を含む。
【００３１】
付加制御情報を用いて、干渉信号除去部８０７を動作させるか否かを決定する方法は、使用される変調方式に従って干渉信号の影響が異なるので、特定の変調方式である場合にのみ干渉信号除去部８０７を動作させる方法と、各変調方式に従ってＩｏｒ／Ｉｏｃの比較基準値を異なって設定し、このＩｏｒ／Ｉｏｃがこの設定された基準値以上であるときにのみ干渉信号除去部８０７を動作させる方法と、チャンネル符号化器で使用された符号化率が特定の符号化率以上である場合にのみ干渉信号除去部８０７を動作させる方法と、を含むことができる。
【００３２】
干渉信号除去動作制御部８１３は、パケットデータ制御チャンネルの出力を分析し、現在のタイムスロットに受信しようとする有効なパケットデータがあるか否かを判断し、現在のタイムスロットに有効なパケットデータが存在する場合にのみ干渉信号除去部８０７を動作させるように制御する。ここで、有効なパケットデータが存在しない場合、干渉信号除去動作制御部８１３は、干渉信号除去部８０７を動作させないように制御し、不必要な電力消耗を防止する。実際の実現において、干渉信号除去動作制御部８１３が上述した構造よりもさらに複雑なアルゴリズムを使用することができることに留意すべきである。例えば、現在のタイムスロットに有効なパケットデータがあると判断される場合、干渉信号除去動作制御部８１３は、多重経路信号の干渉の大きさと端末機が属している基地局からの信号対他の基地局からの信号の電力比（Ｉｏｒ／Ｉｏｃ）を比較し、前者の影響が相対的に大きい場合にのみ干渉信号除去部８０７を動作させる。このような実現は、干渉信号推定器、Ｉｏｒ／Ｉｏｃ推定器、及び変調方式に基づいて、特定のアルゴリズムに従って干渉信号除去部を動作させるか否かを決定する判定器を別途に提供することによって可能である。本発明の実施形態は、このアルゴリズムに対して１つの定型化されたアルゴリズムを提示しない。従って、本発明の実施形態は、どんな判定基準によって干渉信号除去部の制御信号を生成させるか否かに無関係に適用可能である。実際に、干渉信号の測定が難しい場合、干渉信号除去動作制御部８１３は、Ｉｏｒ／Ｉｏｃが所定の基準値より小さいと、干渉信号除去部８０７を動作させないように実現されることができる。従って、多重経路信号の干渉を除去することによって得られた利得は大きくない。ここで、所定の基準値は、変調方式に従って異なる値を有する。例えば、１６ＱＡＭ方式の場合は、この所定の基準値がＱＰＳＫ方式の場合より一般的に大きい。
【００３３】
干渉信号除去部８０７は、干渉信号除去動作制御部８１３から干渉信号除去動作命令信号が受信される場合にのみ、チャンネル等化器及び並列干渉信号除去器（ＰＩＣ）を用いて干渉信号を除去する動作を遂行する。このように干渉信号が除去された出力がウォルシュデカバー８０８によってウォルシュデカバーリングされ、これによって、チップ信号がシンボル単位の信号に変換され、ウォルシュデカバー８０８の出力がメトリック生成器８０９、デインターリーバ８１０、及びターボデコーダ８１１を通して最終的に復号される。
【００３４】
このような構造を有する高速パケットデータ受信器は、チップ単位の信号をバッファに直接に貯蔵し、パケットデータ制御チャンネルの復号が遂行された後、復号された情報を用いてパケットデータチャンネルを復号する。このようなパケットデータチャンネルの復号を遂行するために、バッファから出力されたチップ単位のパケットデータ信号から干渉信号を除去するための干渉信号除去部の一例を説明する。
【００３５】
図９Ａ及び９Ｂは、本発明の第１の実施形態による高速パケットデータ受信器の干渉信号除去部及び干渉信号除去部に含まれた干渉除去器の詳細な構造を示すブロック図である。図１０Ａ及び図１０Ｂは、本発明の実施形態による干渉除去器に含まれたウォルシュデカバー及びウォルシュカバーの詳細な構造を示す。
【００３６】
図９Ａ及び図９Ｂを参照すると、この高速パケットデータ受信器の干渉信号除去部８０７は、複数の干渉除去器９１０ａ、９１０ｂ、．．．、９１０ｎから構成される。
【００３７】
各干渉除去器９１０は、バッファ８０６から出力されたチップ単位の信号をウォルシュシンボルにウォルシュデカバーリングするウォルシュデカバー９１１と、このウォルシュデカバーリングされたシンボルを判定する判定器９１２と、判定器９１２の出力をウォルシュカバーリングするウォルシュカバー９１３と、を備えている。また、各干渉除去器９１０は、ウォルシュカバー９１３の出力をＰＮカバーリングするＰＮカバー９１４と、バッファ８０６から出力された信号のチャンネルを推定するチャンネル推定器９１６と、ＰＮカバー９１４をチャンネル推定器９１６に接続して干渉信号成分を推定する干渉生成器９１５と、この推定された干渉信号を除去する減算器９１７と、を備える。
【００３８】
図１０Ａを参照すると、ウォルシュデカバー９１１は、バッファ８０６から出力されたチップ単位の信号をウォルシュコード別に乗じる乗算器１０１１ａ、１０１１ｂ、．．．、１０１１ｎと、乗算器１０１１ａ、１０１１ｂ、．．．、１０１１ｎの出力を一定の区間の周期で累積する累積部１０１２ａ、１０１２ｂ、．．．、１０１２ｎと、この累積された信号を直列に変換して伝送する並列／直列変換器１０１３と、から構成される。ここで、累積部１０１２は、乗算器１０１１に接続された加算器と、この加算器の出力を遅延させた後、この遅延した信号を累積するための加算器へ提供する遅延器Ｄと、から構成される。
【００３９】
図１０Ｂを参照すると、このウォルシュカバー９１３は、判定器９１２から出力された信号を並列に変換する直列／並列変換器１０２１と、並列に変換された信号をウォルシュコード別に乗じる乗算器１０２２ａ、１０２２ｂ、．．．、１０２２ｎと、乗算器１０２２ａ、１０２２ｂ、．．．、１０２２ｎの出力を一定の区間の周期で累積する累積部１０２３ａ、１０２３ｂ、．．．、１０２３ｎと、各累積部１０２３ａ、１０２３ｂ、．．．、１０２３ｎから出力された信号を合算する合算器１０２４と、から構成される。ここで、累積部１０２３は、乗算器１０２２に接続された加算器と、この加算器の出力を遅延させた後、この遅延した信号を累積するための加算器へ提供する遅延器Ｄと、から構成される。
【００４０】
上述したように、本発明の実施形態は、干渉信号除去動作制御部８１３と干渉信号除去部８０７に焦点を合わせ、これは、高速パケットデータチャンネルの特性に合うように、干渉信号除去部を配置して制御し、必要な場合にのみ動作させることによって、動作電力を最小化することを目的とする。また、本発明の実施形態は、干渉信号の除去をバッファの後段で遂行し、これによって、フィンガー部８０１でチップ信号の単位で多重経路信号を結合し、ウォルシュデカバー８０８でチップ単位の信号がシンボル単位の信号に変換される。本発明の実施形態は、どのような干渉信号除去部を使用しても適用可能であり、干渉信号除去部の種類に無関係に目的とするところを達成することができる。
【００４１】
このような構造を有する高速パケットデータの受信器で干渉信号を除去する動作を図面を参照して説明すると、下記の通りである。
【００４２】
図１１は、本発明の第１の実施形態による高速パケットデータ受信器の干渉信号除去動作制御部の制御動作の例を示すフローチャートである。図１１において、干渉信号除去動作が必要であるか否かを判定する基準は、有効なパケットデータが存在するか否か、そしてＩｏｒ／Ｉｏｃ値が所定の基準値上であるか否かの場合を示す。
【００４３】
図８及び図１１を参照すると、ステップ１１０２で、干渉信号除去動作制御部８１３は、まず、ビタビデコーダ８０４から出力されたＰＤＣＣＨ復号情報と所望の基地局からの信号対他の基地局からの信号の電力比を示すＩｏｒ／Ｉｏｃ値を入力した後、ステップ１１０４に進行する。ステップ１１０４で、干渉信号除去動作制御部８１３は、このＰＤＣＣＨ復号情報に基づいて、現在のタイムスロットに受信される有効なパケットデータが存在するか否かを検査する。有効なパケットデータが存在しないと、干渉信号除去動作制御部８１３は、ステップ１１０２に戻る。一方、有効なパケットデータが存在すると、干渉信号除去動作制御部８１３は、ステップ１１０６へ進行する。ステップ１１０６で、干渉信号除去動作制御部８１３は、このＩｏｒ／Ｉｏｃ値が特定の変調方式に従って異なって設定された基準値以上であるか否かを検査する。Ｉｏｒ／Ｉｏｃ値が基準値の未満であると、干渉信号除去動作制御部８１３は、ステップ１１０２に戻る。一方、Ｉｏｒ／Ｉｏｃ値が基準値以上であると、干渉信号除去動作制御部８１３は、ステップ１１０８に進行する。ここで、この基準値は、多重経路干渉信号を除去することによって得えらた利得がほとんどないＩｏｒ／Ｉｏｃ値に適切に設定されることができる。言い換えれば、“Ｉｏｒ／Ｉｏｃ値がこの基準値の未満”ということは、他の基地局から受信された信号が多重経路干渉信号よりも相対的に非常に大きく、これによって、多重経路干渉信号を除去することによって得えらた利得がほどんどなくなることを意味する。ステップ１１０８で、干渉信号除去動作制御部８１３は、干渉信号除去命令信号を生成して干渉信号除去部８０７に出力する。上述したような手順を反復することによって、干渉信号除去動作制御部８１３は、干渉信号除去部８０７が必要な場合にのみ動作するように制御することができる。
【００４４】
干渉信号除去動作制御部８１３から干渉信号除去命令信号を受信した後の干渉信号除去部８０７の動作を添付図面を参照して説明する。
【００４５】
図１２は、本発明の第１の実施形態による干渉信号除去部で干渉信号を除去する手順を示す図である。
【００４６】
ステップ１２００で、干渉信号除去部８０７は、干渉信号除去動作制御部８１３から命令信号を受信したか否かを判断する。命令信号が受信されない場合、干渉信号除去部８０７は、命令信号を待機する。一方、命令信号が受信された場合、干渉信号除去部８０７は、ステップ１２０１で、干渉信号除去部８０７の内の第１の干渉除去器９１０ａでバッファ８０６からチップ単位の信号、すなわち、パケットデータ情報を受信する。
【００４７】
ステップ１２０２で、干渉信号除去部８０７は、この受信されたチップ単位の信号に対してウォルシュデカバー９１１を通してウォルシュデカバーリングを遂行することによってウォルシュシンボル信号を生成し、その後、ステップ１２０３で、判定器９１２を通してこのウォルシュシンボル信号の送信レベルのうちの１つの値を判定する。
【００４８】
ステップ１２０４で、干渉信号除去部８０７は、この判定されたウォルシュシンボルでウォルシュカバー９１３を通してウォルシュシンボル信号をウォルシュコード別にカバーリングする。ステップ１２０５で、干渉信号除去部８０７は、このウォルシュカバーリングされた信号にＰＮカバー９１４を通してＰＮコードを乗じて、もとの送信された信号形態に変換した後に干渉生成部９１５に入力する。ここで、判定器９１２へ入力された信号は、雑音成分を含んでいるので、実際に送信された信号と正確に一致せず、間違った推定を含むことがある。このような過程において、第１の干渉除去器９１０ａ内のチャンネル推定器９１６は、このバッファ８０６から出力されたチップ単位信号のチャンネルを推定し、この推定された結果を干渉生成部９１５へ入力する。
【００４９】
ステップ１２０６で、干渉信号除去部８０７は、干渉生成部９１５を通してＰＮカバー部９１４から変換された信号とチャンネル推定器９１６から受信されたチャンネル推定結果情報とを用いて、実際の入力信号に含まれた干渉信号成分を推定する。これに従って、ステップ１２０７で、干渉信号除去部８０７は、減算器９１７を通してこの推定された干渉信号成分を除去する。
【００５０】
この後、ステップ１２０８で、干渉信号除去部８０７は、現在、干渉除去器が最後の干渉除去器９１０ｎであるか否かを確認する。現在の干渉除去器が最後の干渉除去器９１０ｎではない場合、干渉信号除去部８０７は、ステップ１２０９で、この干渉信号が除去されたパケットデータ情報を第２の干渉除去器９１０ｂへ入力した後、ステップ１２０２へ戻る。一方、現在の干渉除去器が最後の干渉除去器９１０ｎである場合、ステップ１２１０で、干渉信号除去部８０７は、最終的に干渉信号が除去されたパケットデータ情報を出力する。ここで、後続する干渉除去器でも、ステップ１２０２からステップ１２０７の過程が同一に適用され、これは、数回の干渉信号除去動作を通して精密に干渉信号を除去するためである。また、このような干渉信号除去動作を示すと、下記式（１）の通りである。
【００５１】
【数１】
2006500885.tif 000003
【００５２】
この式（１）において、一番目の項は、チャンネル利得が乗じられた送信信号を示し、二番目の項は、多重経路信号による干渉信号を示し、最後の項は、雑音成分を示す。この式（１）は、フィンガー部８０１で従来の干渉信号を除去する干渉信号除去動作を示す。各フィンガーの干渉信号の形態が異なって現れるものとは異なり、多重経路信号が結合された信号をもとの信号として見なすので、チップ単位の干渉信号がもとの信号に含まれたもののように見えることができる。また、Ｉｋ及び干渉信号パターンｈ１を推定することができると、この式（１）は、二番目の項を除去することができる。
【００５３】
このＩｋの推定は、ウォルシュデカバー９１１及び判定器９１２を通して送信された信号レベルに判定した後、逆過程を通して推定が可能であり、ウォルシュデカバー９１１で推定される。このｈ１のチャンネル推定は、チャンネル推定器９１６で遂行される。
【００５４】
このような干渉信号除去動作を通して向上したデータ率の一例を図１３に示す。図１３のグラフは、本発明の実施形態を適用した場合、一人の使用者が伝送することができるデータ量の改善を示す。ここで、“Ｒａｋｅ”と表示されたグラフは、従来のレイク受信器が使用される場合のグラフであり、ＰＩＣ１及びＰＩＣ２は、第１の干渉除去器のみを使用する場合、及び第２の干渉除去器のみを使用する場合をそれぞれ示すグラフである。
【００５５】
上述したように、本発明の第１の実施形態は、複数の干渉除去器の内部にそれぞれチャンネル推定器が含まれた干渉除去装置及び方法について説明する。しかしながら、後述される本発明の第２の実施形態は、干渉信号除去部の内に１つのチャンネル推定器のみを備えた干渉除去装置及び方法について説明する。
【００５６】
図１４は、本発明の第２の実施形態による高速パケットデータ受信器の干渉信号除去部の詳細な構造を示すブロック図である。
【００５７】
図８及び図１４を参照すると、干渉信号除去部８０７は、複数の干渉除去器１４１０ａ、１４１０ｂ、．．．、１４１０ｎと、バッファ８０６から出力されたチップ単位の信号からチャンネルを推定し、推定された結果を各干渉除去器１４１０ａ、１４１０ｂ、．．．、１４１０ｎへ伝送するチャンネル推定器１４２０と、から構成される。
【００５８】
各干渉除去器１４１０ａ、１４１０ｂ、．．．、１４１０ｎは、バッファ８０６から出力されたチップ単位の信号と、チャンネル推定器１４２０から出力されたチャンネル推定情報を受信する。ここで、各干渉除去器１４１０ａ、１４１０ｂ、．．．、１４１０ｎは、チャンネル推定器１４２０を除外し、本発明の第１の実施形態による干渉除去器９１０と同一の構造を有する。
【００５９】
チャンネル推定器１４２０は、結合部８０５及びバッファ８０６から出力された信号を受信してパケットデータチャンネルを推定し、推定された結果を干渉信号除去部８０７及びウォルシュデカバー８０８に出力する。チャンネル推定器１４２０は、パイロット信号がＦＩＲ又はＩＩＲフィルターを通過する形態で実現され、各フィンガー部８０１に含まれたチャンネル推定器（図示せず）からパイロット信号を用いて推定されたチャンネル情報、すなわちα（ｍ）値を用いてｈｎを推定する。ここで、このチャンネル推定は、中央処理装置でソフトウェア的にチャンネル推定が遂行されることができることに留意しなければならない。
【００６０】
このような構造を有する干渉信号除去部は、１つのチャンネル推定器を使用することによって、干渉信号除去部のハードウェアの複雑度を減らすことができる。このような干渉信号除去部を含むパケットデータ受信器の動作は、上述した第１の実施形態の動作と同一であり、干渉信号除去部は、干渉信号除去動作制御部からの命令信号に従って干渉信号を除去する。
【００６１】
上述したような本発明の第１及び第２の実施形態は、多重レベル信号の判定に必要な基準レベル信号を推定するための装置を有する複数の干渉除去器を含む干渉除去装置及び方法を提供する。しかしながら、本発明の第３の実施形態は、ハードウェアの複雑度を減らすために、この干渉除去器から判定に必要な装置を除外した構造を有する干渉除去器を含む干渉除去装置及び方法を提供する。
【００６２】
図１５は、本発明の第３の実施形態による高速パケットデータ受信器の干渉信号除去部の詳細な構造を示すブロック図である。
【００６３】
図９Ａ及び図１５を参照すると、干渉信号除去部８０７は、複数の干渉除去器９１０ａ、９１０ｂ、．．．、９１０ｎを含む。各干渉除去器９１０ａ、９１０ｂ、．．．、９１０ｎは、バッファ８０６の出力信号からチャンネルを推定するチャンネル推定器１５１０と、この推定されたチャンネルの情報を受信し、バッファ８０６から出力されたチップ単位の信号から干渉信号を推定する干渉生成部１５２０と、この推定された干渉信号を除去する減算器１５３０と、から構成される。
【００６４】
このような構造を有する干渉信号除去部の動作は、各干渉除去器で判定のための動作を除外すると、本発明の第１の実施形態の動作と同一であるので、具体的な動作説明は省略する。また、干渉信号除去部を含むパケットデータ受信器の動作は、本発明の第１の実施形態の動作と同一であり、干渉信号除去部は、干渉信号除去動作制御部からの命令信号に従って干渉信号を除去する。
【００６５】
上述したように、本発明は、干渉信号除去部をＰＤＣＨ復号バッファの後段に備え、パケットデータ制御チャンネル（ＰＤＣＣＨ）復号情報とチャンネル状況に従って、必要な場合にのみ干渉信号除去部を動作させることによって、干渉信号除去動作に必要な電力消耗量を減少させることができる。
【００６６】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００６７】
【図１】ＣＤＭＡ １ｘ ＥＶＤＶ通信システムで使用されるチャンネルの例を示すグラフである。
【図２】ＣＤＭＡ １ｘ ＥＶＤＶ通信システムでの一般的なＦ−ＰＤＣＨ送信器の構造を示すブロック図である。
【図３】ＣＤＭＡ １ｘ ＥＶＤＶ通信システムでの一般的なパケットデータ受信器の構造を示すブロック図である。
【図４】変調方式に従うＳＥＲとＳＮＲとの関係を示すグラフである。
【図５】多重経路信号の干渉によってＳＮＲが変化する例を示すグラフである。
【図６】パケットデータ通信システムの受信器で使用される一般的な線形チャンネル等化器の構造を示すブロック図である。
【図７】パケットデータ通信システムの受信器で使用される一般的な並列干渉信号除去器の構造を示すブロック図である。
【図８】本発明の実施形態による高速パケットデータ受信器の構造を示すブロック図である。
【図９Ａ】本発明の第１の実施形態による高速パケットデータ受信器の干渉信号除去部及び干渉信号除去部に含まれた干渉除去器の詳細な構造を示すブロック図である。
【図９Ｂ】本発明の第１の実施形態による高速パケットデータ受信器の干渉信号除去部及び干渉信号除去部に含まれた干渉除去器の詳細な構造を示すブロック図である。
【図１０Ａ】本発明の第１の実施形態による干渉除去器に含まれたウォルシュデカバー及びウォルシュカバーの詳細な構造を示すブロック図である。
【図１０Ｂ】本発明の第１の実施形態による干渉除去器に含まれたウォルシュデカバー及びウォルシュカバーの詳細な構造を示すブロック図である。
【図１１】本発明の第１の実施形態による高速パケットデータ受信器の干渉信号除去制御部の制御動作を示すフローチャートである。
【図１２】本発明の第１の実施形態による干渉除去部で干渉信号を除去するための手順を示すフローチャートである。
【図１３】本発明の第１の実施形態によるデータ率の向上した結果を示すグラフである。
【図１４】本発明の第２の実施形態による高速パケットデータ受信器の干渉信号除去部の詳細な構造を示すブロック図である。
【図１５】本発明の第３の実施形態による高速パケットデータ受信器の干渉信号除去部の詳細な構造を示すブロック図である。
【符号の説明】
【００６８】
２０１    ＣＲＣ追加部
２０２    テールビット追加部
２０３    ターボエンコーダ
２０４    チャンネルインターリーバ
２０５    加算器
２０６    スクランブリングパターン生成器
２０７    サブパケット選択器
２０８    ＱＰＳＫ／８―ＰＳＫ／１６―ＱＡＭシンボルマッパー
２０９    シンボルデマルチプレクサー（ＤＥＭＵＸ）
２１０    第１〜第Ｎのウォルシュカバーリング部
２１１    ウォルシュチップ信号加算器
３００    フィンガー部
３０１，３０４    結合部
３０２    デインターリーバ
３０３    ビタビデコーダ
３０５    並列／直列変換器
３０６    バッファ
３０７    メトリック生成器
３０８    デインターリーバ
３０９    ターボデコーダ
６０１    等化器フィルター
６０２    乗算器
６０３    加算器
６０４    遅延器
６０５    乗算器
６０６    乗算器
６０７    加算器
６０８    遅延器
７０１    レイクフィルター
７０２    判定器
７０３    ＰＩＣ
７０４    判定器
７０９    ＰＩＣ
７１０    判定器
８０１    フィンガー部
８０２    結合部
８０３    デインターリーバ
８０５    結合部
８０４    ビタビデコーダ
８０６    バッファ
８０７    干渉信号除去部
８０８    ウォルシュデカバー
８０９    メトリック生成器
８１０    デインターリーバ
８１１    ターボデコーダ
８１３    干渉信号除去動作制御部
９１０ａ、９１０ｂ、．．．、９１０ｎ    干渉除去器
９１０    干渉除去器
９１１    ウォルシュデカバー
９１２    判定器
９１３    ウォルシュカバー
９１４    ＰＮカバー
９１５    干渉生成器
９１６    チャンネル推定器
９１７    減算器
９２０    ＰＮデカバー
１０１１ａ、１０１１ｂ、．．．、１０１１ｎ    乗算器
１０１２ａ、１０１２ｂ、．．．、１０１２ｎ    累積部
１０１１    乗算器
１０１２    累積部
１０１３    並列／直列変換器
Ｄ    遅延器
１４１０ａ、１４１０ｂ、．．．、１４１０ｎ    干渉除去器
１４２０    チャンネル推定器
１５１０    チャンネル推定器
１５２０    干渉生成部
１５３０    減算器
【図１】
2006500885.tif 000004
【図２】
2006500885.tif 000005
【図３】
2006500885.tif 000006
【図４】
2006500885.tif 000007
【図５】
2006500885.tif 000008
【図６】
2006500885.tif 000009
【図７】
2006500885.tif 000010
【図８】
2006500885.tif 000011
2006500885.tif 000012
2006500885.tif 000013
2006500885.tif 000014
2006500885.tif 000015
【図１１】
2006500885.tif 000016
【図１２】
2006500885.tif 000017
【図１３】
2006500885.tif 000018
【図１４】
2006500885.tif 000019
【図１５】
2006500885.tif 000020
【国際調査報告】
2006500885.tif 000021